(57)【要約】      （修正有）【課題】多種類のスマートフォンに使用可能で、かつスマートフォンを容易に上下方向にスライドできるスマートフォンカバーを提供する。【解決手段】弾性体１５を介して横方向にスライド自在とし、スマートフォン本体の幅方向両側を挟持して固定するための固定部１１を、スマートフォン本体全体を被覆する２つ折り形状のカバー本体１３の一方の内側面に固着し、または固定部１１のスマートフォン本体固定側に滑り止め２３を配し、または固定部１１の幅方向両側縁に鍔部を形成させ、カバー本体１３の内側面の固定部対応位置にレール部を形成させ、鍔部をレール部に掛装させることにより、固定部１１を上下方向にスライド自在とした。【選択図】図１
2015046712.tif 000002
【特許請求の範囲】
【請求項１】
弾性体を介して横方向にスライド自在とし、スマートフォン本体の幅方向両側を挟持して固定するための固定部を、スマートフォン本体全体を被覆する２つ折り形状のカバー本体の一方の内側面に固着した、ことを特徴とするスマートフォンカバー。
【請求項２】
固定部のスマートフォン本体固定側に滑り止めを配したことを特徴とする請求項１記載のスマートフォンカバー。
【請求項３】
固定部の幅方向両側縁に鍔部を形成させ、カバーの内側面の固定部対応位置にレール部を形成させ、鍔部をレール部に掛装させることにより、固定部を上下方向にスライド自在としたことを特徴とする請求項１または請求項２記載のスマートフォンカバー。 
【発明の詳細な説明】
【技術分野】
【０００１】
本発明は、携帯電話機、主にスマートフォンのカバーに関するものである。
【背景技術】
【０００２】
従来、スマートフォンのカバーは、対応機種に応じてそれぞれ製作されていた。  
【０００３】
また、カバー外側に再帰性反射材を貼付させ、夜間に屋外でスマートフォンを安全に使用することができるものがあった（特許文献１参照）。  
【０００４】
このカバーのスマートフォン固定部は、一般のスマートフォンケースであり、樹脂からなる略コ字型の一体成形物であった。
【先行技術文献】
【特許文献】
【０００５】
【特許文献１】実用新案登録第３１８３１６４号公報
【発明の概要】
【発明が解決しようとする課題】
【０００６】
従来のスマートフォンカバーは、対応機種に応じてそれぞれ製作されていたため、機種変更する毎に、買い換える必要があるばかりか、使用している機種に対応したカバーを店頭で探し出す作業が非常に煩雑であった。  
【０００７】
また、特許文献１のスマートフォンカバーも、対応機種に応じてそれぞれ製作されていたため、特定のスマートフォンにしか使用できないことが問題であった。  
【０００８】
また、スマートフォン固定部は、一般のスマートフォンケースであり、多種類のスマートフォンには対応不能であった。  
【０００９】
また、カバー内でスマートフォンを上下方向にスライドさせることができるものは皆無であった。  
【００１０】
本発明はこのような欠点に鑑み、多種類のスマートフォンに使用可能で、かつカメラ機能を使用するためにスマートフォンを容易に上下方向にスライドさせ、操作することができるスマートフォンカバーを提供することを目的とする。
【課題を解決するための手段】
【００１１】
本発明に係るスマートフォンカバーは、弾性体を介して横方向にスライド自在とし、スマートフォン本体の幅方向両側を挟持して固定するための固定部を、スマートフォン本体全体を被覆する２つ折り形状のカバー本体の一方の内側面に固着したことを特徴とするもの、または、固定部のスマートフォン本体固定側に滑り止めを配したことを特徴とするもの、または、固定部の幅方向両側縁に鍔部を形成させ、カバー本体の内側面の固定部対応位置にレール部を形成させ、鍔部をレール部に掛装させることにより、固定部を上下方向にスライド自在としたことを特徴とするものである。
【発明の効果】
【００１２】
本発明に係るスマートフォンカバーによれば、固定部を、弾性体を介して横方向にスライドさせることにより、多種類のスマートフォンに対応させて使用することができる。  
【００１３】
また、固定部のスマートフォン本体固定側に滑り止めを配することにより、不意の外力の影響、不用意な使用に対しても、スマートフォン本体がカバーから脱落することがなく、使用性に優れている。  
【００１４】
また、固定部を上下方向にスライド自在としてあるため、カメラ機能を使用するためにスマートフォンを容易に上下方向にスライドさせ、操作することができる。
【図面の簡単な説明】
【００１５】
【図１】本発明に係るスマートフォンカバーを示す斜視図である。
【図２】同、固定部を示す拡大斜視図である。
【図３】固定部の別の例を示す拡大側面図である。
【図４】同、レール部を示す斜視図である。
【図５】同、固定部の鍔部とレール部の掛装状態を示す拡大断面図である。
【発明を実施するための形態】
【００１６】
多種類のスマートフォンに使用可能で、かつスマートフォンを容易に上下方向にスライドさせる目的を、スマートフォン本体全体を被覆する２つ折り形状のカバー本体と、弾性体を介して横方向にスライド自在とした固定部と、固定部の両側縁に形成した鍔部と、カバーの内側面に形成したレール部と、により実現した。
【実施例１】
【００１７】
図１、図２を参照して本発明に係るスマートフォンカバーについて説明する。
【００１８】
本発明に係るスマートフォンカバーは、スマートフォン本体Ｓ全体を被覆する２つ折り形状のカバー本体１３と、カバー本体１３の一方の内側面に固着した、スマートフォン本体Ｓを固定する固定部１１と、からなるものである。
【００１９】
固定部１１は、弾性体１５を介して横方向にスライド自在とし、スマートフォン本体Ｓの幅方向両側を挟持して固定するためのものである。
【００２０】
固定部１１のスライド機構は、平板状の固定板１７の幅方向にスライド溝１９を配し、このスライド溝１９にＬ字型の固定体２１を両側から嵌挿させ、その間に弾性体１５を介入させてなり、弾性体１５の弾性力により固定体２１をスライド自在としてある。  
【００２１】
本例において、スライド溝１９は２個、弾性体１５は４個使用してあり、弾性体１５として弾性作用を奏するバネを使用してある。
【００２２】
また、スライド溝１９には、固定部１１が必要以上に拡幅しないように、ストッパー機構を配備することが望ましい。
【００２３】
また、固定板１７の表面側で、２個のスライド溝１９の間に、滑り止め２３を配してある。
【００２４】
この滑り止め２３および固定部１１により、スマートフォン本体Ｓがカバー本体１３から脱落することがなくなる。
【００２５】
なお、図中３１は固定体２１の内側に配した緩衝材を示す。
【００２６】
本発明に係るスマートフォンカバーの使用方法を以下に詳述する。
【００２７】
まず、使用している種類のスマートフォン本体Ｓをカバー本体１３の固定部１１へ、スマートフォン本体Ｓの幅より広く固定部１１を拡幅させてカバー本体１３側に位置させた後、固定部１１の拡幅力を解除する（手を放す）と、弾性体１５の弾性力により両固定体２１が横方向の内側へスライドし、スマートフォン本体Ｓが幅方向の両側から挟持、固定される。
【００２８】
この際、スマートフォン本体Ｓの固定部１１による固定力に加え、滑り止め２３の摩擦力により、スマートフォン本体Ｓがカバー本体１３から脱落することがなくなる。
【実施例２】
【００２９】
図３−図５に、本発明に係るスマートフォンカバーの別の例が、示してある。
【００３０】
本例は、前例の固定部１１を上下方向にスライド自在としたものである。
【００３１】
固定部１１の上下方向スライド機構は、固定部１１の固定板１７の幅方向両側縁に鍔部２５を形成させ、カバー本体１３の内側面の固定部１１対応位置にレール部２７を形成させ、鍔部２５を各レール部２７に掛装させてなり、固定部１１を上下方向にスライド自在としてある。
【００３２】
本例において、鍔部２５は薄肉平板である。
【００３３】
また、レール部２７はＬ字型部材であり、裏面に粘着剤を塗布したシート２９上に形成してあり、このシート２９をカバー本体１３の内側面に貼着させてある。
【００３４】
このレール部２７には、固定部１１が必要以上に上下方向にスライドしないように、ストッパー機構を配備させることが望ましい。
【００３５】
本例のスマートフォンカバーの使用方法を以下に詳述する。
【００３６】
まず、前例と同様に、使用している種類のスマートフォン本体Ｓをカバー本体１３の固定部１１へ、固定する。
【００３７】
次に、スマートフォン本体Ｓのカメラ機能を使用する際、スマートフォン本体Ｓを固定部１１と共に、レール部２７に沿わせて上方向にスライドさせ、カメラ部（図示略）をカバー本体１３より上方に突出させた状態とし、カメラ機能を使用する。
【００３８】
この際、前例同様に、スマートフォン本体Ｓの固定部１１による固定力に加え、滑り止め２３の摩擦力により、スマートフォン本体Ｓがカバー本体１３から不用意に脱落することがない。
【００３９】
なお、両例において、固定板１７の使用個数は２個であるが、必ずしも２個に限定されることはなく、１個以上とすることは自由である。
【００４０】
また、弾性体１５の使用個数は４個であるが、２個以上とすることは自由である。
【００４１】
また、弾性体１５としてバネを使用してあるが、ゴム、その他の弾性素材を使用することは自明である。
【００４２】
また、レール部２７はＬ字型であるが、他の形状とすることは自明である。
【００４３】
また、レール部２７は裏面に粘着剤を塗布したシート２９上に形成してあるが、直接カバー本体１３上に形成することは自明である。
【００４４】
また、レール部２７はシート２９上に形成してあるが、このシート２９はシート体に限らず、その他の板材とすることは自明であり、またその素材についても限定されない。
【００４５】
以上本発明の実施例について説明したが、本発明は前記実施例に何等限定されるものではなく、本発明の要旨を逸脱しない範囲において種々なる態様で実施し得ることはもちろんである。
【産業上の利用可能性】
【００４６】
本発明に係る、スマートフォンカバーは、スマートフォンのみならず、タブレット端末、その他の電子機器のカバーにも適用できる。
【符号の説明】
【００４７】
１１  固定部１３  カバー本体１５  弾性体２３  滑り止め２５  鍔部２７  レール部Ｓ  スマートフォン本体 
【図２】
2015046712.tif 000003
【図４】
2015046712.tif 000004
【図５】
2015046712.tif 000005
【図１】
2015046712.tif 000006
【図３】
2015046712.tif 000007